(57)【要約】【課題】風向調整を迅速かつ簡便に実施できることと同時にスイング動作を任意で制御できるサーキュレータを得ること。【解決手段】天井面又は壁面に固定されるベースプレート１と、ファン２１の回転の軸と交差する方向に気流を吹き出すクロスフローファンを有する風路部２と、ベースプレート１から突出し、風路部２を回動可能に風路部２の一端部を支持する第１支持部３と、ベースプレート１から突出し、風路部２を回動可能に風路部２の他端部を支持する第２支持部４と、第２支持部４に収容され、風路部２を回動させる風路部駆動モータ４３とを備えており、風路部２の風向を調整する場合と、風路部２を往復し回動する場合とで風路部駆動モータ４３の駆動速度を変更した。【選択図】図５
2019116989.tif 000002
【特許請求の範囲】
【請求項１】
天井面又は壁面に固定されるベースプレートと、
回転によって気流を発生させるファンと、
前記ファンが配置されるケーシングと、
前記ケーシングに装着されて、前記気流の吸込口及び吹出口を形成するファンガードとで構成され前記ファンを有する風路部と、
前記ベースプレートから突出し、前記風路部を回動可能に支持する支持部と、
前記支持部に収容され、前記風路部を回動させる風路部駆動モータと、
前記風路部駆動モータを制御する制御部と、
前記風路部を任意方向へ回動させて風向を調節する第一の風路部回動動作と、
前記風路部を往復に回動させスイング動作となる第二の風路部回動動作と、
前記第一の風路部回動動作と前記第二の風路部回動動作とで前記風路部の回動速度を変更したことを特徴とするサーキュレータ。
【請求項２】
前記第一の風路部回動動作は前記第二の風路部回動動作より早く回動することを特徴とする請求項１記載のサーキュレータ。
【請求項３】
前記風路部を微細に回動させて風向を微調整する第三の風路部回動動作を備えたことを特徴とする請求項１、２記載のサーキュレータ。
【請求項４】
前記第三の風路部回動動作は前記第二の風路部回動動作と同じかさらに遅い速度で回動することを特徴とする請求項１〜３記載のサーキュレータ。
【発明の詳細な説明】
【技術分野】
【０００１】
本発明は、クロスフローファンで気流を発生させるサーキュレータに関する。
【背景技術】
【０００２】
室内の空気を強制的に循環させるサーキュレータは、冷暖房効率を高めるために用いられる。天井面に据え付けられ、筐体内に収容したクロスフローファンで気流を発生させるサーキュレータは、天井面と平行あるいは垂直といった単一方向に気流を吹き出すように筐体内に風路が形成されている。
【０００３】
特許文献１に開示されるサーキュレータは、吹出口に設置したルーバの向きを変えることで、下向きにも気流を吹き出せるようにしている。
【先行技術文献】
【特許文献】
【０００４】
【特許文献１】実開昭６３−６６７２８号公報
【発明の概要】
【発明が解決しようとする課題】
【０００５】
しかしながら、特許文献１に開示されるサーキュレータは、ルーバに気流を吹き当てることで強制的に風向を変えることを行っている。このようなルーバ動作では、ルーバ動作が一定速度であることから、風向調整時に時間がかかることや微調整ができないといった問題があった。また、ルーバを首振りするスイング動作の場合に、ルーバ動作を早くした場合は風の到達距離が短いといった問題や、ルーバ動作を遅くした場合は風が届くまで時間が掛かるといった問題があった。
【０００６】
本発明は、上記に鑑みてなされたものであって、ルーバあるいは風路部を駆動する風向調整動作の場合とスイング動作の場合とで、それぞれの動作させる動作速度を分けることで風向調整を迅速かつ簡便に実施でき、またスイング動作を任意で制御できるサーキュレータを得る事を目的とする。
【課題を解決するための手段】
【０００７】
上述した課題を解決し、目的を達成するために、本発明は、天井面又は壁面に固定されるベースプレートと、回転によって気流を発生させるファンと、ファンが配置されるケーシングと、ケーシングに装着されて、前記気流の吸込口及び吹出口を形成するファンガードとで構成され前記ファンを有する風路部と、ベースプレートから突出し、風路部を回動可能に支持する支持部と、支持部に収容され、風路部を回動させる風路部駆動モータと、
風路部駆動モータを制御する制御部と、風路部を任意方向へ回動させて風向を調節する第一の風路部回動動作と、風路部を往復に回動させスイング動作となる第二の風路部回動動作と、第一の風路部回動動作と第二の風路部回動動作とで風路部の回動速度を変更したものである。
【発明の効果】
【０００８】
本発明によれば、風路部の駆動による風向調整とスイング動作との風路部の回動速度を変更することで風向調整を迅速かつ簡便に実施できることと同時にスイング動作を任意で制御できるという効果を奏する。
【図面の簡単な説明】
【０００９】
【図１】本発明の実施の形態１に係るサーキュレータの斜視図
【図２】実施の形態１に係るサーキュレータの断面図
【図３】実施の形態１に係るサーキュレータの断面図
【図４】実施の形態１に係るサーキュレータの断面図
【図５】実施の形態１に係るサーキュレータの断面図
【図６】実施の形態１に係るサーキュレータの分解斜視図
【図７】サーキュレータの操作スイッチ概要図
【発明を実施するための形態】
【００１０】
以下に、本発明の実施の形態に係るサーキュレータを図面に基づいて詳細に説明する。なお、この実施の形態によりこの発明が限定されるものではない。
【００１１】
実施の形態１．
図１は、本発明の実施の形態１に係るサーキュレータの斜視図である。実施の形態１に係るサーキュレータ１００は、天井面又は壁面に固定される矩形状のベースプレート１と、クロスフローファンを備えた風路部２と、ベースプレート１から突出して風路部２を支持する第１支持部３及び第２支持部４とを有する。
【００１２】
図２、図３及び図４は、実施の形態１に係るサーキュレータの断面図である。風路部２は、回転することによって気流を発生させるファン２１と、ファン２１が配置されるケーシング２２と、ケーシング２２に装着されてファン２１を覆うファンガード２３とを有する。ファンガード２３は、ファン２１の回転の軸に沿って延びる吸込口２４及び吹出口２５をケーシング２２との間に形成し、ファン２１が発生させた気流を吹出口２５へ導く整流板部２３１を有する。また、ファンガード２３は、吹出口２５を覆うグリル部２３２と、吸込口２４を覆うガード部２３３とを有する。ファン２１、ケーシング２２及び整流板部２３１は、ファン２１の回転の軸と交差する方向に気流を吹き出すクロスフローファンを構成している。ガード部２３３は、円筒を軸に沿って切断した半円筒状であり、パンチング加工がなされている。サーキュレータ１００の外部の空気は、パンチング穴を通じて吸込口２４からクロスフローファンに取り込まれる。なお、ガード部２３３は、格子状又は網状であってもよい。
【００１３】
風路部２は、第１支持部３及び第２支持部４によって回動可能に支持されている。風路部２は、ベースプレート１の短辺が延びる方向において、ベースプレート１の一方の長辺１１側からベースプレート１と平行に気流を吹き出す第１の回動位置と、ベースプレート１の他方の長辺１２側からベースプレート１と平行に気流を吹き出す第２の回動位置との間で回動可能である。風路部２は、第１の回動位置から第２の回動位置へ回動する際、又は第２の回動位置から第１の回動位置に回動する際には、ベースプレート１に垂直に気流を吹き出す第３の回動位置を経る。なお、図２は、風路部２が第１の回動位置にある状態を示しており、図３は、風路部２が第２の回動位置にある状態を示しており、図４は、風路部２が第３の回動位置にある状態を示している。
【００１４】
風路部２は、第１の回動位置と第２の回動位置との間であれば、第３の回動位置とは異なる回動位置に配置することもできる。図５は、実施の形態１に係るサーキュレータの断面図である。図５は、ベースプレート１の面内方向に対して斜め方向に気流を吹き出す状態となる回動位置に風路部２を回動させた状態を示している。
【００１５】
図６は、実施の形態１に係るサーキュレータの分解斜視図である。第１支持部３には、クロスフローファンを駆動するファンモータ３１が設置されている。ファンモータ３１は、モータ固定具３２でベースプレート１に固定される。また、第１支持部３は、ファン２１の第１支持部３側の端部２１１に設置されるケーシング軸３３と、ケーシング軸３３を回転可能に支持する第１ケーシング軸受３４とを備える。第１ケーシング軸受３４は、ベースプレート１に固定される。第１支持部３には、ファンモータ３１及び後述する風路部駆動モータ４３を駆動する制御部３５が設置されている。ファンモータ３１及び制御部３５は、分割構造のカバー３６，３７，３８で覆われている。
【００１６】
第２支持部４には、風路部２を回動させる風向調整機構が収容されている。風向調整機構は、ケーシング２２の第２支持部４側の端部２２１に取り付けられるケーシングギヤ４１と、ベースプレート１に固定され、ケーシングギヤ４１を回転可能に支持する第２ケーシング軸受４２と、ステッピングモータである風路部駆動モータ４３と、風路部駆動モータ４３のシャフトに固定される駆動モータギヤ４４と、ケーシングギヤ４１を覆うギヤカバー４５とで構成される。ケーシングギヤ４１は、外周に歯が形成されている。風路部駆動モータ４３は、ケーシングギヤ４１を覆うギヤカバー４５を介して第２ケーシング軸受４２に固定される。したがって、風路部駆動モータ４３は、ギヤカバー４５及び第２ケーシング軸受４２を介して間接的にベースプレート１に固定されている。ケーシングギヤ４１及び駆動モータギヤ４４は、噛み合った状態でカバー４６によって覆われる。風路部駆動モータ４３にパルス電圧を印加すると、パルスの数の分シャフトが回動し、駆動モータギヤ４４及びケーシングギヤ４１の歯を介してケーシング２２に回転力が伝達され、風路部２が回動する。風路部２が回動することにより、吹出口２５の向きが変化し、気流の吹出方向も変化する。
【００１７】
第１支持部３及び第２支持部４は、ベースプレート１との間にクリアランスがある状態で風路部２を支持している。風路部２が第２の回動位置にあるとき、ガード部２３３は、ベースプレート１と対向するが、クリアランスがあるため、吸込口２４からの空気の取り込みに支障を来すことはない。
【００１８】
天井面にサーキュレータ１００を設置することにより、サーキュレータ１００は、天井付近に滞留する空気を天井面と平行、斜め下又は真下に送り、室内の空気の循環を促すことができる。また、壁面にサーキュレータ１００を設置することにより、サーキュレータ１００は、壁面付近の空気を壁面と平行、垂直又は斜めに送り、室内の空気の循環を促すことができる。
【００１９】
天井面に機器を設置した場合には、天井面への固定箇所に概ね均等に自重が加わるが、壁面に機器を設置した場合には、重心よりも上側となる壁面への固定箇所に加わる力と、重心よりも下側となる壁面への固定箇所に加わる力とが均一になるとは限らない。実施の形態１に係るサーキュレータ１００は、ベースプレート１が、長辺１１，１２の片側だけを壁面に固定した場合でもサーキュレータ１００の自重を支える強度を有しており、ベースプレート１の破損が原因でサーキュレータ１００が壁面から脱落することは防止される。
【００２０】
次にサーキュレータの操作について説明する。
図７はサーキュレータ１００の操作を行う操作スイッチ５０の概要図である。図７ではワイヤレススイッチの場合を示しているが、有線式のリモコンや壁付けスイッチでも良い。操作スイッチ５０の上段には風量を切替える風量スイッチ５１を設け、スイッチを押すごと風量を弱→中→強→弱…のように順次切り替える。このようにして使用者の要望に合った風量設定が行える。
【００２１】
操作スイッチ５０の中段には、サーキュレータの風向を任意に調整するよう風路部２を回動させる風向スイッチを設けている。風向スイッチは例えば微調整を行う５°スイッチ５２（第三の風路部回動動作となる）と４５°風向を切り替える４５°スイッチ５３（第一の風路部回動動作となる）を備えている。  風向を切り替える場合は、５°スイッチ５２で５°毎任意の角度に微調整することや、水平（０°）から大きく４５°スイッチ５３を押して４５°の角度にすることができる。このようにすることで、５°スイッチ５２と４５°スイッチ５３を組み合わせて操作することで使用者の希望する角度に風向が調整でき使用者の快適性を向上している。説明では角度設定を４５°５°で説明したが、この角度によらず、５３を角度調整スイッチ、５２を角度微調整スイッチとして任意に角度を設定できることや、スイッチを押している時は動作するようにしても良い。このようにすることで風向とさらにエアコンの冷、暖房時の運転状態や室温に伴って風向を切り替えることができ省エネルギー性を向上できる。
【００２２】
操作スイッチ５０の下段にはスイングスイッチ５４（第二の風路部回動動作となる）を設けている。スイングスイッチ５４を操作すると、風向は水平→真下→水平→…となるよう風路部２を連続的に回動することができる。このようにスイング動作をすることで、室内空気を撹拌し室温の均一化がはかれ、快適性の向上や省エネルギー性の向上が行える。
【００２３】
実施の形態１に係るサーキュレータ１００は、風路部２を風路部駆動モータ４３に制御部３５から送信されるパルス電圧を印加することで動作させている。したがって、実施の形態１に係るサーキュレータ１００は、制御部３５から送信するパルス電圧の速度を変化させることで風路部２の回動速度を変化させている。
【００２４】
スイング動作の場合は室内空気の撹拌することを目的としていることから、風路部２を高速で稼働する必要がなく、ある程度室内空気の気流を生成できるような速さで稼働している。
【００２５】
一方使用者が任意方向へ風向を調節する場合は風路部を往復運動するスイング動作よりも高速で駆動することができるようにしている。このようにすれば、使用者が所望する風向に素早く調節することができる。
また風向を微調整する場合は、風向調整するよりも低速で駆動させている。このように低速で駆動させることで、使用者の希望する角度に精度よく風向が切り換えられようになっている。このように風路部２は使用者の用途に応じた回転速度で駆動することができる。
【００２６】
なお、説明では、風路部２の回転速度をスイング動作の場合は遅く、風向調節する場合は早くする構成を説明したが、例えばスイング動作の場合は早く、風向調節する場合は遅くするなど、使用者の要望によって、回転速度を任意に調節可能としても良い。
【００２７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２８】
１  ベースプレート、２  風路部、３  第１支持部、４  第２支持部、１１，１２  長辺、２１  ファン、２２  ケーシング、２３  ファンガード、２４  吸込口、２５  吹出口、３１  ファンモータ、３２  モータ固定具、３３  ケーシング軸、３４  第１ケーシング軸受、３５  制御部、３６，３７，３８，４６  カバー、３９  表示部、４１  ケーシングギヤ、４２  第２ケーシング軸受、４３  風路部駆動モータ、４４  駆動モータギヤ、４５  ギヤカバー、１００  サーキュレータ、２１１，２２１  端部、２３１  整流板部、２３２  グリル部、２３３  ガード部、５０  操作スイッチ、５１  風量スイッチ、５２  ５°（風向）スイッチ、５３  ４５°（風向）スイッチ、５４  スイングスイッチ。
【図１】
2019116989.tif 000003
【図２】
2019116989.tif 000004
【図３】
2019116989.tif 000005
【図４】
2019116989.tif 000006
【図５】
2019116989.tif 000007
【図６】
2019116989.tif 000008
【図７】
2019116989.tif 000009